(57)【要約】  低消費電力化を図り、且つ表示品位の低下を抑えることができる転送制御装置を提供する。本発明のホストプロセッサ（１０１）は、伝送量検出回路（１０）によって検出された、表示データの伝送量に応じて、インターレース方式またはノンインターレース方式により表示データをドライバ（１０２）に送信する表示データ送信回路（１１）を備える。
2017038309.tif 000002
【特許請求の範囲】
【請求項１】
映像ソースから表示装置に転送される表示データの転送制御を行う転送制御装置であって、
上記表示装置に転送する表示データの伝送量を検出する伝送量検出部と、
上記伝送量検出部によって検出された表示データの伝送量に応じて、インターレース方式またはノンインターレース方式により表示データを上記表示装置に送信する表示データ送信部と、を備えていることを特徴とする転送制御装置。
【請求項２】
上記伝送量検出部は、
上記表示装置に転送される表示データの転送周波数を検出する転送周波数検出部を備え、
上記表示データ送信部は、
上記転送周波数検出部によって検出された転送周波数に応じて、インターレース方式またはノンインターレース方式により表示データを上記表示装置に送信することを特徴とする請求項１に記載の転送制御装置。
【請求項３】
上記伝送量検出部は、
上記表示装置に転送される表示データが動画であるか否かを判定する動画判定部を備え、
上記表示データ送信部は、
上記動画判定部による判定結果に応じて、インターレース方式またはノンインターレース方式により表示データを上記表示装置に送信することを特徴とする請求項１に記載の転送制御装置。
【請求項４】
上記伝送量検出部は、
上記表示装置に転送される表示データの転送周波数を検出する転送周波数検出部と、上記表示装置に転送される表示データが動画であるか否かを判定する動画判定部と、を備え、
上記表示データ送信部は、
上記転送周波数検出部によって検出された転送周波数と、上記動画判定部による判定結果とに応じて、インターレース方式またはノンインターレース方式により表示データを上記表示装置に送信することを特徴とする請求項１に記載の転送制御装置。
【請求項５】
アプリケーションを実行するアプリケーション実行部をさらに備え、
上記伝送量検出部は、
上記アプリケーション実行部によって実行されるアプリケーションに応じた表示データの伝送量を検出することを特徴とする請求項１に記載の転送制御装置。
【請求項６】
上記表示データ送信部は、
上記伝送量検出部によって検出された表示データの伝送量が予め設定した値以上のとき、インターレース方式により表示データを上記表示装置に送信することを特徴とする請求項１〜５の何れか１項に記載の転送制御装置。
【請求項７】
請求項１〜６の何れか１項に記載の転送制御装置を備えたことを特徴とする端末装置。
【請求項８】
映像ソースから表示装置に転送される表示データの転送制御方法であって、
上記表示装置に転送する表示データの伝送量を検出する第１のステップと、
上記第１のステップによって検出した表示データの伝送量に応じて、インターレース方式またはノンインターレース方式により表示データを上記表示装置に送信する第２のステップと、を含むことを特徴とする転送制御方法。
【発明の詳細な説明】
【技術分野】
【０００１】
本発明は、映像ソースから表示装置に転送される表示データの転送制御を行う転送制御装置、端末装置及び転送制御方法に関する。
【背景技術】
【０００２】
一般に、液晶パネルの消費電力は、ＣｆＶ２で表すことができる。ここで、Ｃは液晶パネルの走査線及び信号線に含まれる容量、ｆは駆動周波数、Ｖは駆動電圧である。つまり、駆動周波数ｆが高い動画表示時は消費電力が高く、駆動周波数ｆが低い静止画表示時は消費電力が低い。【０００３】
従って、液晶パネルの動画表示、静止画表示を含むトータルでの消費電力を低減させるには、動画表示時の消費電力を低減させるのが好ましい。例えば、特許文献１には、消費電力が多い動画や準動画（スクロール画像）の場合に、限界解像度を下げて低解像度の画面で動画や準動画を表示させることで、消費電力の低減を図る技術が開示されている。
【先行技術文献】
【特許文献】
【０００４】
【特許文献１】日本国公開特許公報「特開平１０−９１１２５号公報（１９９８年４月１０日公開）」
【発明の概要】
【発明が解決しようとする課題】
【０００５】
ところで、スマートフォン等の表示装置を備えた端末装置には、表示装置に表示データを供給するための装置（以下、ホストプロセッサと称する）が搭載されている。このような端末装置において消費電力を考慮する場合には、表示装置の消費電力を考慮する以外に、ホストプロセッサから表示装置へ表示データを伝送する伝送路における消費電力も考慮する必要がある。つまり、端末装置における消費電力は、表示装置、ホストプロセッサを含むシステム全体を考慮する必要がある。【０００６】
一般に、上記のような伝送路において、表示データの帯域幅が広くなると伝送レートが高くなり、消費電力が増加し、表示データの帯域幅が狭くなると伝送レートが低くなり、消費電力が低下する。従って、伝送レートの高い動画データは、例えば非可逆データ圧縮することにより帯域幅を狭くし、伝送レートを低くして消費電力を低減させている。【０００７】
しかしながら、動画データを非可逆データ圧縮した場合、動画データの受け側、すなわち表示装置側で復元する必要があるが、復元された動画データは、オリジナルの動画データと全く同じにならず、少なからず劣化してしまう。これにより、表示装置で表示される動画の表示品位を低下させるという問題が生じる。【０００８】
本発明は、上記の各問題点に鑑みなされたものであり、その目的は、表示装置、ホストプロセッサを含むシステム全体の低消費電力化を図り、且つ表示装置に表示される映像の表示品位の低下を抑えることができる転送制御装置、端末装置及び転送制御方法を提供することにある。
【課題を解決するための手段】
【０００９】
上記の課題を解決するために、本発明の一態様に係る転送制御装置は、映像ソースから表示装置に転送される表示データの転送制御を行う転送制御装置であって、上記表示装置に転送する表示データの伝送量を検出する伝送量検出部と、上記伝送量検出部によって検出された表示データの伝送量に応じて、インターレース方式またはノンインターレース方式により表示データを上記表示装置に送信する表示データ送信部と、を備えていることを特徴としている。【００１０】
本発明の一態様に係る転送制御方法は、映像ソースから表示装置に転送される表示データの転送制御方法であって、上記表示装置に転送する表示データの伝送量を検出する第１のステップと、上記第１のステップによって検出した表示データの伝送量に応じて、インターレース方式またはノンインターレース方式により表示データを上記表示装置に送信する第２のステップと、を含むことを特徴としている。
【発明の効果】
【００１１】
本発明の一態様によれば、表示装置、ホストプロセッサを含むシステム全体の低消費電力化を図り、且つ表示装置に表示される映像の表示品位の低下を抑えることができるという効果を奏する。
【図面の簡単な説明】
【００１２】
【図１】本発明の実施形態１に係るスマートフォンの概略構成ブロック図である。
【図２】図１に示すホストプロセッサにおける表示データの送信方式を選択するための処理の流れを示すフローチャートである。
【図３】表示データの送信方式を説明するための図であり、（ａ）はインターレース方式、（ｂ）はノンインターレース方式を説明するための図である。
【図４】本発明の実施形態２に係るスマートフォンの概略構成ブロック図である。
【図５】図４に示すホストプロセッサにおける表示データの送信方式を選択するための処理の流れを示すフローチャートである。
【図６】本発明の実施形態３に係るスマートフォンの概略構成ブロック図である。
【図７】図６に示すホストプロセッサにおける表示データの送信方式を選択するための処理の流れを示すフローチャートである。
【図８】本発明の実施形態１〜３の変形例に係るスマートフォンの概略構成ブロック図である。
【発明を実施するための形態】
【００１３】
〔実施形態１〕
以下、本発明の実施の形態について、詳細に説明する。なお、本実施形態では、表示装置に表示データを供給するための装置を備えた端末装置としてスマートフォンに、本発明の転送制御装置を適用した例について説明する。以下の実施形態２，３においても同様とする。なお、本発明は上記スマートフォン以外にも表示装置を備えたパーソナルコンピューター、ＴＶ（テレビジョン）やその他ホストプロセッサを備えた表示装置を搭載する端末装置であれば、採用できるものである。
【００１４】
（スマートフォン）
図１は、本実施形態にかかるスマートフォンの概略構成を示すブロック図である。
【００１５】
スマートフォンは、図１に示すように、ホストプロセッサ（転送制御装置）１０１により映像ソースからの表示データを表示装置（ドライバ１０２、パネル１０３）に転送する。表示装置では、ドライバ１０２によりホストプロセッサ１０１から転送された表示データに基づいた駆動信号を、パネル１０３に送り、パネル１０３は、ドライバ１０２から送られた駆動信号に応じて映像を表示する。ここで、パネル１０３として液晶パネルを用いるが、本実施形態では液晶パネルの駆動方式について特に限定せず、どのような駆動方式であってもよい。
【００１６】
（ホストプロセッサ１０１）
ホストプロセッサ１０１は、映像ソースから表示装置（ドライバ１０２、パネル１０３）に転送される表示データの転送制御を行う転送制御装置であり、上記表示装置に転送する表示データの伝送量を検出する伝送量検出回路（伝送量検出部、第１のステップ）１０と、伝送量検出回路１０によって検出された表示データの伝送量に応じて、インターレース方式またはノンインターレース方式により表示データを上記表示装置に送信する表示データ送信回路（表示データ送信部、第２のステップ）１１と、を備えている。
【００１７】
（表示データの送信方式）
ホストプロセッサ１０１による表示装置への表示データの送信方式について説明する。図３の（ａ）は表示データの送信方式として、インターレース方式の例を示し、図３の（ｂ）は表示データの送信方式として、ノンインターレース方式の例を示している。
【００１８】
インターレース方式では、１フレーム分の表示データを図３の（ａ）の左側（ｆｒａｍｅ（ｍ））に示す偶数ライン（Ｌ０，Ｌ２，・・・・）と、図３の（ａ）の右側（ｆｒａｍｅ（ｍ＋１））に示す奇数ライン（Ｌ１，Ｌ３，・・・・Ｌｎ−１）とに分けて、表示装置に送信する。つまり、最初に図３の（ａ）の左側の偶数ラインの表示データを上から順番に送信し、偶数ラインの全ての表示データを送信した後、図３の（ａ）の右側の奇数ラインの表示データを上から順番に送信し、奇数ラインの全ての表示データを送信することで、１フレーム分の表示データが送信される。
【００１９】
一方、ノンインターレース送信では、１フレーム（ｆｒａｍｅ（ｍ））分の表示データを偶数ライン、奇数ラインと分けずに、図３の（ｂ）に示すように、全てのライン（Ｌ０，Ｌ１，Ｌ２，Ｌ３，・・・・Ｌｎ−１）を上から順番に表示装置に全て送信する。
【００２０】
同じ表示データであれば、図３の（ａ）に示すインターレース方式のほうが、ノンインターレース送信に比べて、表示装置に送信する表示データの伝送量（ライン数）が少ないため、表示データ送信回路１１から表示装置の間の伝送路における帯域幅を狭くすることができる。これにより、表示データの伝送レートを下げることができるため、消費電力を低減することができる。
【００２１】
また、表示データの伝送量が多い場合に、帯域幅を狭めるために、上記インターレース方式により表示データを表示装置に送信するようにすれば、従来のように、帯域幅を狭めるために、表示データを非可逆データ圧縮する必要がない。このため、非可逆データ圧縮を行った場合のように、表示装置に表示される映像がオリジナル映像に対して劣化することがないため、表示装置に表示される映像の表示品位の低下を抑制することができる。Ｆｕｌｌ  ＨＤの解像度（１９２０×１０８０）よりも高解像度の４Ｋ（３８４０×２１６０や４０９６×２１６０相当の解像度）の動画は、情報量が多いため、非可逆データ圧縮による劣化が顕著であるため、特に、インターレース方式で表示データを送信することは有効である。
【００２２】
従って、伝送量検出回路１０によって検出された表示データの伝送量に応じて、表示データの送信方式を、インターレース方式またはノンインターレース方式の何れかを選択することで、低消費電力化を図り、且つ表示品位の低下を抑制することが可能となる。例えば、表示データ送信回路１１は、伝送量検出回路１０によって検出された表示データの伝送量が予め設定した値以上のとき、インターレース方式により表示データを上記表示装置に送信するようにすればよい。予め設定した値（伝送量）としては、表示データを送信する際に、伝送路における帯域幅（伝送レート）を所定の値よりも低くして、表示データの送信にかかる消費電力が所定値を越えないような値（伝送量）にするのが好ましい。
【００２３】
ここで、表示データの伝送量は、様々なパラメータにより表すことができる。例えば、パラメータのひとつとして、データ転送周波数が考えられる。このデータ転送周波数は、映像ソースから表示装置に転送される表示データの転送周波数である。転送周波数は、表示データ毎に設定されており、通常、この設定された転送周波数により当該表示データを転送する。しかしながら、転送周波数が１２０Ｈｚのように高い場合、表示データの転送時の消費電力は増加する。転送周波数を用いて表示データの送信方式を切り替える例について以下に説明する。
【００２４】
伝送量検出回路１０は、図１に示すように、上記表示装置に転送される表示データのデータ転送周波数を検出する転送周波数検出部１０ａを備える。転送周波数検出部１０ａは、映像ソースから送信された表示データに設定されたデータ転送周波数を検出する。この検出結果は、表示データ送信回路２１及びドライバ１０２に送られる。そして、表示データ送信回路１１は、上記転送周波数検出部によって検出された転送周波数に応じて、インターレース方式またはノンインターレース方式により表示データを表示装置に送信する。
【００２５】
（送信方式選択処理）
図２は、ホストプロセッサ１０１における表示データの送信方式を選択するための処理の流れを示すフローチャートである。ここでは、転送周波数検出部１０ａによって検出されるデータ転送周波数を１２０Ｈｚとする。
【００２６】
表示データ送信回路１１は、転送周波数検出部１０ａが検出したデータ転送周波数が１２０Ｈｚであるか否かを判定する（ステップＳ１１）。ここで、データ転送周波数が１２０Ｈｚであると判定すれば（ステップＳ１１のＹｅｓ）、インターレース方式を選択し（ステップＳ１２）、データ転送周波数が１２０Ｈｚでないと判定すれば（ステップＳ１１のＮｏ）、ノンインターレース方式を選択し（ステップＳ１３）、送信方式の選択を終了する。表示データ送信回路１１は、選択した送信方式によりドライバ１０２に表示データを送信する。
【００２７】
ドライバ１０２は、伝送量検出回路１０からの検出結果と、ホストプロセッサ１０１からインターレース方式で送信された表示データを受け取った場合、パネル１０３に対してインターレース駆動させる。しかしながら、ドライバ１０２にパネル１０３の画面全体容量（１フレーム分）のＶＲＡＭを備えていれば、ドライバ１０２は、インターレース方式で送信された表示データ（偶数ラインの表示データ：１フレームの半分）と、インターレース方式で送信された表示データ（奇数ラインの表示データ：１フレームの残りの半分）とをＶＲＡＭに格納することができるので、ＶＲＡＭに格納した１フレーム分の表示データによりパネル１０３に対してプログレッシブ駆動するようにしてもよい。
【００２８】
また、ドライバ１０２は、ホストプロセッサ１０１からノンインターレース方式で送信された表示データを受け取った場合には、そのままパネル１０３に対してプログレッシブ駆動させてもよく、上記ＶＲＡＭを利用して、１フレーム分の表示データを偶数ラインと奇数ラインに分けて、パネル１０３に対してインターレース駆動を行ってもよい。
【００２９】
ドライバ１０２がホストプロセッサ１０１から表示データを受け取ってからの処理は、後述する実施形態２，３においても、上記説明と同様に送信方式に左右されるものではなく、パネル１０３に対しては、インターレース駆動、プログレッシブ駆動の何れであってもよい。
【００３０】
インターレース方式で表示データを表示装置に送信する場合、ドライバ１０２を介さずに直接パネル１０３に送信して、当該パネル１０３を直接駆動させるようにしてもよい。この点について、以下の実施形態２，３においても同様である。
【００３１】
なお、上記ステップＳ１１において、データ転送周波数が１２０Ｈｚでない場合は、１２０Ｈｚよりも周波数が低い、６０Ｈｚ、３０Ｈｚ等であり、１２０Ｈｚよりも高い周波数は含まない。また、送信方式の選択基準としての１２０Ｈｚはあくまでも一例であり、これに限定されるものではない。
【００３２】
（効果）
上記のように、表示データのデータ転送周波数を１２０Ｈｚにしている時は、インターレース方式により表示データをドライバ１０２に送信し、帯域幅を狭めて伝送レートを下げることで、ホストプロセッサ１０１における低消費電力化を図ることができる。さらに、帯域幅を狭くすることで、伝送路の品質を抑えることができるため、伝送路の低コスト化を図ることができる。
【００３３】
一方、表示データのデータ転送周波数を１２０Ｈｚにしていないとき、すなわち、表示データのデータ転送周波数を３０Ｈｚや１Ｈｚにまで落としているときには、帯域幅が元々狭いので、ノンインターレース方式により表示データをドライバ１０２に送信する。送信後は、パネル１０３全体の画像データを更新することで、表示品位の低下を抑えることができる。
【００３４】
なお、図２に示すフローチャートにおいて、データ転送周波数が１２０Ｈｚであると判定したとき、ノンインターレース方式を選択し、データ転送周波数が１２０Ｈｚでないと判定したとき、インターレース方式を選択するようにしてもよい。つまり、データ転送周波数が１２０Ｈｚの時は、ノンインターレース方式で表示データをドライバ１０２に送信し、パネル１０３全体の画像データを更新し、データ転送周波数が１２０Ｈｚでない３０Ｈｚや１Ｈｚの時は、インターレース方式で表示データをドライバ１０２に送信し、パネル１０３においてインターレース方式で表示する。このようにすると、データ転送周波数が１２０Ｈｚの時は高精細化が可能となり、データ転送周波数が１２０Ｈｚでない３０Ｈｚや１Ｈｚの時はより低消費電力化を可能とする。
【００３５】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【００３６】
（スマートフォン）
図４は、本実施形態にかかるスマートフォンの概略構成を示すブロック図である。
【００３７】
スマートフォンは、図４に示すように、ホストプロセッサ２０１の構成が前記実施形態１に係るスマートフォンと異なる。ホストプロセッサ２０１は、伝送量検出回路２０、表示データ送信回路２１を含み、さらに、伝送量検出回路２０は動画判定部２０ａを含んでいる。本実施形態では、表示データが動画であるか否かによって表示データの送信方式を選択する例について説明する。
【００３８】
表示データが動画である場合、帯域幅が広く、伝送レートが高くなり、表示データの転送時の消費電力は増加する。そこで、本実施形態では、表示データが動画であるときに、表示データの送信方式をインターレース方式にして、帯域幅を狭くし、伝送レートを下げて、消費電力の増加を抑制する例について説明する。
【００３９】
伝送量検出回路２０は、図４に示すように、上記表示装置に転送される表示データが動画であるか否かを判定する動画判定部２０ａを備える。動画判定部２０ａは、映像ソースから供給される表示データの前後のフレームの画像が変更されている場合、その表示データは動画であると判定する。この判定結果は、表示データ送信回路２１及びドライバ１０２に送られる。そして、上記表示データ送信回路２１は、上記動画判定部２０ａによる判定結果に応じて、インターレース方式またはノンインターレース方式により表示データを上記表示装置に送信する。
【００４０】
（送信方式選択処理）
図５は、ホストプロセッサ２０１における表示データの送信方式を選択するための処理の流れを示すフローチャートである。
【００４１】
表示データ送信回路２１は、動画判定部２０ａによって映像ソースからの表示データが動画であると判定されたか否かを判定する（ステップＳ２１）。ここで、表示データが動画であると判定されれば（ステップＳ２１のＹｅｓ）、インターレース方式を選択し（ステップＳ２２）、表示データが動画でない判定されれば（ステップＳ２１のＮｏ）、ノンインターレース方式を選択し（ステップＳ２３）、送信方式の選択を終了する。表示データ送信回路２１は、選択した送信方式によりドライバ１０２に表示データを送信する。このとき、ドライバ１０２には、動画判定部２０ａから表示データが動画であることを示す動画情報あるいは静止画であることを示す静止画情報が送られる。
【００４２】
（効果）
上記のように、表示データが動画である時は、インターレース方式により表示データをドライバ１０２に送信し、帯域幅を狭めて、伝送レートを低くすることで、低消費電力化を図ることができる。さらに、帯域幅を狭めることで、伝送路の品質を抑えることができるため、伝送路の低コスト化を図ることができる。
【００４３】
一方、表示データが静止画である時は、帯域幅が元々狭いので、ノンインターレース方式により表示データをドライバ１０２に送信する。送信後は、パネル１０３全体の画像データを更新することで、表示品位の低下を抑えることができる。
【００４４】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【００４５】
本実施形態では、前記実施形態１で説明したデータ転送周波数による表示データの送信方式の選択と、前記実施形態２で説明した表示データが動画であるか否かによる表示データの送信方式の選択とを組み合わせて、表示データの送信方式を選択する例について説明する。
【００４６】
（スマートフォン）
図６は、本実施形態にかかるスマートフォンの概略構成を示すブロック図である。
【００４７】
スマートフォンは、図６に示すように、前記実施形態１、２に係るスマートフォンとはホストプロセッサ３０１の構成が異なる。ホストプロセッサ３０１は、伝送量検出回路３０、表示データ送信回路３１を含み、さらに、伝送量検出回路３０は動画判定部２０ａ及び転送周波数検出部１０ａを含んでいる。
【００４８】
伝送量検出回路３０は、図６に示すように、表示装置（ドライバ１０２、パネル１０３）に転送される表示データの転送周波数を検出する転送周波数検出部１０ａと、上記表示装置に転送される表示データが動画であるか否かを判定する動画判定部２０ａと、を備える。転送周波数検出部１０ａは、映像ソースから送信された表示データに設定されたデータ転送周波数を検出する。動画判定部２０ａは、映像ソースから供給される表示データの前後のフレームの画像が変更されている場合、その表示データは動画であると判定する。これらの判定結果は、表示データ送信回路２１及びドライバ１０２に送られる。そして、表示データ送信回路３１は、上記転送周波数検出部１０ａによって検出された転送周波数と、上記動画判定部２０ａによる判定結果とに応じて、インターレース方式またはノンインターレース方式により表示データを上記表示装置に送信する。
【００４９】
（送信方式選択処理）
図７は、ホストプロセッサ３０１における表示データの送信方式を選択するための処理の流れを示すフローチャートである。ここでは、転送周波数検出部１０ａによって検出されるデータ転送周波数を１２０Ｈｚとする。
【００５０】
表示データ送信回路３１は、転送周波数検出部１０ａが検出したデータ転送周波数が１２０Ｈｚであるか否かを判定する（ステップＳ３１）。ここで、データ転送周波数が１２０Ｈｚであると判定すれば、ステップＳ３２に移行し（ステップＳ３１：ＹＥＳ）、データ転送周波数が１２０Ｈｚでないと判定すれば、ノンインターレース方式を選択し（ステップＳ３４：Ｎｏ）、送信方式の選択を終了する。
【００５１】
一方、ステップＳ３１にてＹｅｓ、すなわちデータ転送周波数が１２０Ｈｚと検出された場合、動画判定部２０ａによって映像ソースからの表示データが動画であると判定されたか否かを判定する（ステップＳ３２）。ここで、表示データが動画であると判定されれば（ステップＳ３２：ＹＥＳ）、インターレース方式を選択し（ステップＳ３３）、表示データが動画でないと判定されれば（ステップＳ３２：Ｎｏ）、ノンインターレース方式を選択し（ステップＳ３４）、送信方式の選択を終了する。
【００５２】
以上のように送信方式の選択が終了した後、表示データ送信回路１１は、選択した送信方式によりドライバ１０２に表示データを送信する。
【００５３】
なお、ステップＳ３１において、データ転送周波数が１２０Ｈｚでない場合は、１２０Ｈｚよりも周波数が低い、６０Ｈｚ、３０Ｈｚ等であり、１２０Ｈｚよりも高い周波数は含まない。
【００５４】
（効果）
上記のように、表示データのデータ転送周波数が１２０Ｈｚであっても、当該表示データが動画でなければ、伝送路における帯域幅が広くなりすぎないため、ノンインターレース方式を選択できる。ここで、ノンインターレース方式により表示データをドライバ１０２に送信すれば、パネル１０３においてプログレッシブ方式による表示が行い易いため、データ転送周波数が１２０Ｈｚの表示データであっても表示品位の低下を抑制することができる。
【００５５】
また、表示データのデータ転送周波数が１２０Ｈｚであり、且つ、表示データが動画である場合では、伝送路における帯域幅を相当広くする必要があるため、帯域幅を狭めるために、インターレース方式により送信するのが好ましい。
【００５６】
このように、本実施形態によれば、動画の種類に応じてインターレース方式で表示データを送信させることが可能となる。
【００５７】
〔変形例〕
スマートフォンで実行されるアプリケーションによって、映像ソースから表示装置に転送される表示データの伝送量は異なる。つまり、アプリケーション毎に、表示データの伝送量が設定されている。
【００５８】
従って、本変形例では、前記実施形態１のように、表示データの伝送量そのものを検出するのではなく、現在実行中のアプリケーションに対応付けられた表示データの伝送量を検出する。
【００５９】
具体的には、図８に示すように、ホストプロセッサ４０１は、伝送量検出回路４０、表示データ送信回路４１に加えて、アプリケーション実行回路（アプリケーション実行部）４２を含んでいる。
【００６０】
アプリケーション実行回路４２は、スマートフォン本体からのアプリケーション実行指示を受付けると、アプリケーションの実行処理を行うと共に、実行中のアプリケーションを特定する信号を伝送量検出回路４０に送る。
【００６１】
伝送量検出回路４０は、前記実施形態１の伝送量検出回路１０と同じ機能を有しているが、異なるのは、アプリケーション実行回路４２からの信号（実行されているアプリケーションを特定する信号）によって表示データの伝送量を検出している点で異なる。つまり、伝送量検出回路４０は、上記アプリケーション実行回路４２によって実行されるアプリケーションに応じた表示データの伝送量を検出するようになっている。この検出結果は、表示データ送信回路４１及びドライバ１０２に送られる。
【００６２】
そして、表示データ送信回路４１は、伝送量検出回路４０によって検出された表示データの伝送量に応じて、インターレース方式またはノンインターレース方式により表示データをドライバ１０２に送信する。
【００６３】
このように、表示データの送信方法を実行されるアプリケーションに応じて選択されるので、アプリケーション実行中は消費電力を抑え、且つ、表示品位を低下させないことが可能となる。
【００６４】
〔ソフトウェアによる実現例〕
ホストプロセッサ１０１〜４０１の制御ブロック（特に表示データ送信回路１１〜４２）は、集積回路（ＩＣチップ）等に形成された論理回路（ハードウェア）によって実現してもよいし、ＣＰＵ（Central Processing Unit）を用いてソフトウェアによって実現してもよい。
【００６５】
後者の場合、ホストプロセッサ１０１〜４０１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６６】
〔まとめ〕
本発明の態様１に係る転送制御装置は、映像ソースから表示装置（ドライバ１０２、パネル１０３）に転送される表示データの転送制御を行う転送制御装置（ホストプロセッサ１０１）であって、上記表示装置（ドライバ１０２、パネル１０３）に転送する表示データの伝送量を検出する伝送量検出部（伝送量検出回路１０）と、上記伝送量検出部によって検出された表示データの伝送量に応じて、インターレース方式またはノンインターレース方式により表示データを上記表示装置に送信する表示データ送信部（表示データ送信回路１１）と、を備えている。
【００６７】
上記の構成によれば、表示データの伝送量に応じて、インターレース方式またはノンインターレース方式により表示データを表示装置に送信することで、低消費電力化を図り、且つ、表示品位の低下の抑制を図ることができる。例えば、映像ソースから表示装置に転送される表示データの伝送量が予め設定した値以上であれば、インターレース方式により表示データを表示装置に送信することで、帯域幅を狭めて、伝送レートを下げることができるため、低消費電力化を図ることができる。一方、映像ソースから表示装置に転送される表示データの伝送量が予め設定した値よりも少なければ、ノンインターレース方式により表示データを表示装置に送信する。この場合、表示装置側で送信された表示データを、そのままノンインターレース方式（プログレッシブ方式）で表示すれば、表示品位の高い映像を表示することが可能となる。
【００６８】
しかも、映像ソースから表示装置に転送される表示データの伝送量が予め設定した値以上であっても、帯域幅を狭めるために、非可逆データ圧縮を行う必要がないので、表示装置に表示される映像の表示品位の低下を抑えることができる。
【００６９】
また、映像ソースから表示装置に転送される表示データの伝送量が予め設定した値以上であれば、ノンインターレース方式により表示データを表示装置に送信することで、表示データ量の多い高精細な表示を行うことが可能となり、表示品位をさらに向上させることもできる。一方、映像ソースから表示装置に転送される表示装置に転送する表示データの伝送量が予め設定した値よりも少なければ、インターレース方式による表示データを表示装置に送信することで、より転送帯域を減らすことが可能となり、さらなる低消費電力化を図ることができる。
【００７０】
本発明の態様２に係る転送制御装置は、上記態様１において、上記伝送量検出部（伝送量検出回路１０）は、上記表示装置（ドライバ１０２，パネル１０３）に転送される表示データの転送周波数を検出する転送周波数検出部１０ａを備え、上記表示データ送信部（表示データ送信回路１１）は、上記転送周波数検出部１０ａによって検出された転送周波数に応じて、インターレース方式またはノンインターレース方式により表示データを上記表示装置に送信してもよい。
【００７１】
上記の構成によれば、転送周波数に応じて、インターレース方式またはノンインターレース方式により表示データを上記表示装置に送信することで、態様１と同様に、低消費電力化を図り、且つ、表示品位の低下の抑制を図ることができる。つまり、転送周波数が高い場合は、帯域幅が広く、伝送レートが高いため消費電力が高いため、帯域幅を狭めるために、インターレース方式で表示データを送信するようにすれば、伝送レートが下がり、低消費電力化を図ることができる。そして、この場合においても、帯域幅を狭めるために、非可逆データ圧縮を行わないため、表示品位の低下を抑制できる。
【００７２】
本発明の態様３に係る転送制御装置は、上記態様１において、上記伝送量検出部（伝送量検出回路２０）は、上記表示装置（ドライバ１０２、パネル１０３）に転送される表示データが動画であるか否かを判定する動画判定部２０ａを備え、上記表示データ送信部（表示データ送信回路２１）は、上記動画判定部２０ａによる判定結果に応じて、インターレース方式またはノンインターレース方式により表示データを上記表示装置（ドライバ１０２、パネル１０３）に送信してもよい。
【００７３】
上記の構成によれば、表示データが動画であるか否かに応じて、インターレース方式またはノンインターレース方式により表示データを上記表示装置に送信することで、態様１と同様に、低消費電力化を図り、且つ、表示品位の低下の抑制を図ることができる。つまり、表示データが動画である場合は、帯域幅が広く、伝送レートが高いため消費電力が高いため、帯域幅を狭めるために、インターレース方式で表示データを送信するようにすれば、伝送レートが下がり、低消費電力化を図ることができる。そして、この場合においても、帯域幅を狭めるために、非可逆データ圧縮を行わないため、表示品位の低下を抑制できる。
【００７４】
本発明の態様４に係る転送制御装置は、上記態様１において、上記伝送量検出部（伝送量検出回路３０）は、上記表示装置（ドライバ１０２、パネル１０３）に転送される表示データの転送周波数を検出する転送周波数検出部１０ａと、上記表示装置（ドライバ１０２、パネル１０３）に転送される表示データが動画であるか否かを判定する動画判定部２０ａと、を備え、上記表示データ送信部（表示データ送信回路３１）は、上記転送周波数検出部１０ａによって検出された転送周波数と、上記動画判定部２０ａによる判定結果とに応じて、インターレース方式またはノンインターレース方式により表示データを上記表示装置（ドライバ１０２、パネル１０３）に送信してもよい。
【００７５】
上記の構成によれば、態様２，３とを合わせた効果を奏する。つまり、表示データの転送周波数が所定値以上であっても、表示データが動画でなければ、ノンインターレース方式で表示データを送信することができる。
【００７６】
本発明の態様５に係る転送制御装置は、上記態様１において、アプリケーションを実行するアプリケーション実行部（アプリケーション実行回路４２）をさらに備え、上記伝送量検出部（伝送量検出回路４０）は、上記アプリケーション実行部（アプリケーション実行回路４２）によって実行されるアプリケーションに応じた表示データの伝送量を検出するようにしてもよい。
【００７７】
上記の構成によれば、実行中のアプリケーションに合わせて、低消費電力化を図り、且つ、表示品位の低下を抑制することができるように、表示データの送信方式を選択することができる。
【００７８】
本発明の態様６に係る転送制御装置は、上記態様１〜５の何れか１態様において、上記表示データ送信部（表示データ送信回路１１〜４１）は、上記伝送量検出部（伝送量検出回路１０〜４０）によって検出された表示データの伝送量が予め設定した値以上のとき、インターレース方式により表示データを上記表示装置（ドライバ１０２、パネル１０３）に送信してよもよい。
【００７９】
上記の構成によれば、表示データの伝送量が予め設定した値以上のとき、インターレース方式により表示データを表示装置に送信することで、帯域幅を狭めて、伝送レートを下げることになる。これにより、低消費電力化を図ることができる。ここで、予め設定した値（伝送量）としては、表示データを送信する際に、伝送路における帯域幅（伝送レート）を所定の値よりも低くして、表示データの送信にかかる消費電力が所定値を越えないような値（伝送量）にするのが好ましい。
【００８０】
本発明の態様７に係る端末装置は、上記態様１〜６の何れか１態様に記載の転送制御装置（ホストプロセッサ１０１〜４０１）を備えていることを特徴としている。
【００８１】
上記の構成によれば、低消費電力化が可能で、且つ表示品位の低下を抑制できる端末装置を実現できる。
【００８２】
本発明の態様８に係る転送制御方法は、映像ソースから表示装置（ドライバ１０２、パネル１０３）に転送される表示データの転送制御方法であって、上記表示装置（ドライバ１０２、パネル１０３）に転送する表示データの伝送量を検出する第１のステップと、上記第１のステップによって検出した表示データの伝送量に応じて、インターレース方式またはノンインターレース方式により表示データを上記表示装置（ドライバ１０２、パネル１０３）に送信する第２のステップと、を含むことを特徴としている。
【００８３】
上記の構成によれば、態様１と同様の効果を奏する。
【００８４】
本発明の各態様に係る転送制御装置は、コンピュータによって実現してもよく、この場合には、コンピュータを上記転送制御装置が備える各部（ソフトウェア要素）として動作させることにより上記転送制御装置をコンピュータにて実現させる転送制御装置の転送制御プログラム、およびそれを記録したコンピュータ読み取り可能な記録媒体も、本発明の範疇に入る。
【００８５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８６】
１０，２０，３０，４０  伝送量検出回路（伝送量検出部）、１０ａ  転送周波数検出部、１１，２１，３１，４１  表示データ送信回路（表示データ送信部）、２０ａ  動画判定部、４２  アプリケーション実行回路、１０１，２０１，３０１，４０１  ホストプロセッサ（転送制御装置）、１０２  ドライバ（表示装置）、１０３  パネル（表示装置）
【図１】
2017038309.tif 000003
【図２】
2017038309.tif 000004
【図３】
2017038309.tif 000005
【図４】
2017038309.tif 000006
【図５】
2017038309.tif 000007
【図６】
2017038309.tif 000008
【図７】
2017038309.tif 000009
【図８】
2017038309.tif 000010
【国際調査報告】
2017038309.tif 000011
2017038309.tif 000012
2017038309.tif 000013
2017038309.tif 000014